(57)【要約】  無線資源管理メッセージを有効にするための方法と装置を提供すること。無線アクセスネットワークから、無線送信／受信装置（ＷＴＲＵ）において無線資源管理（ＲＲＣ）メッセージを受信することによって、ＲＲＣメッセージを認証する方法を開始する。所望の認証規則をメッセージに適用して、該メッセージが有効であるか否かをＷＴＲＵにおいて決定する。メッセージが有効である場合、ＷＴＲＵは該メッセージを受取る。メッセージが有効でない場合、ＷＴＲＵは該メッセージを拒否する。ＷＴＲＵが、ＣＥＬＬ ＤＣＨ状態に入るまで、又はその状態で、新たなトランスポートフォーマット組合せセット（ＴＦＣＳ）が提供されていない場合には、メッセージを拒否する。
2008535399.tif 000002
【特許請求の範囲】
【請求項１】
無線資源管理（ＲＲＣ）メッセージを認証する方法であって、
無線アクセスネットワークから、無線送信／受信装置（ＷＴＲＵ）において無線資源管理（ＲＲＣ）メッセージを受信する工程と、
所望の認証規則を前記メッセージに適用することによって、該メッセージが有効であるか否かを前記無線送信／受信装置（ＷＴＲＵ）において決定する工程と、
前記メッセージが有効である場合、前記無線送信／受信装置（ＷＴＲＵ）によって該メッセージを受取る工程と、
前記メッセージが有効でない場合、前記無線送信／受信装置（ＷＴＲＵ）によって該メッセージを拒否する工程と
を具えたことを特徴とする方法。
【請求項２】
前記決定する工程は、前記無線送信／受信装置（ＷＴＲＵ）が、前記メッセージに基づいて新たなトランスポートフォーマット組合せセット（ＴＦＣＳ）を必要とするか否かを決定する工程を含むことを特徴とする請求項１記載の方法。
【請求項３】
前記メッセージは、前記無線送信／受信装置（ＷＴＲＵ）が、前記新たなトランスポートフォーマット組合せセット（ＴＦＣＳ）を受信した場合に有効であることを特徴とする請求項２記載の方法。
【請求項４】
前記決定する工程は、前記メッセージが、前記無線送信／受信装置（ＷＴＲＵ）をＣＥＬＬ ＤＣＨ状態に構成させるものであるか否かを決定する工程を含むことを特徴とする請求項１記載の方法。
【請求項５】
前記メッセージは、該メッセージが前記無線送信／受信装置（ＷＴＲＵ）をＣＥＬＬ ＤＣＨ状態に構成させるものでない場合に、有効であることを特徴とする請求項４記載の方法。
【請求項６】
前記決定する工程は、
前記メッセージが、前記無線送信／受信装置（ＷＴＲＵ）をＣＥＬＬ ＤＣＨ状態に構成させるものであるか否かを決定する工程と、
前記無線送信／受信装置（ＷＴＲＵ）が、前記メッセージに基づいて新たなトランスポートフォーマット組合せセット（ＴＦＣＳ）を必要とするか否かを決定する工程と
を含むことを特徴とする請求項１記載の方法。
【請求項７】
前記メッセージが前記無線送信／受信装置（ＷＴＲＵ）をＣＥＬＬ ＤＣＨ状態に構成させるものであり、かつ、前記無線送信／受信装置（ＷＴＲＵ）が新たなトランスポートフォーマット組合せセット（ＴＦＣＳ）を必要としない場合に、該メッセージを有効とすることを特徴とする請求項６記載の方法。
【請求項８】
無線資源管理（ＲＲＣ）メッセージを認証する無線送信／受信装置（ＷＴＲＵ）であって、
無線アクセスネットワークから、無線資源管理（ＲＲＣ）メッセージを受信するように構成された受信機と、
所望の認証規則を前記メッセージに適用することによって、該メッセージが有効であるか否かを決定するように構成された規則アプリケーション装置と、
前記メッセージが有効である場合、該メッセージを受取るように構成されたメッセージ受取装置と、
前記メッセージが有効でない場合、該メッセージを拒否するように構成されたメッセージ拒否装置と
を具えたことを特徴とする無線送信／受信装置（ＷＴＲＵ）。
【請求項９】
前記規則アプリケーション装置は、
前記無線送信／受信装置（ＷＴＲＵ）が、前記メッセージに基づいて新たなトランスポートフォーマット組合せセット（ＴＦＣＳ）を必要とするか否かを決定するようにさらに構成されたことを特徴とする請求項８記載の無線送信／受信装置（ＷＴＲＵ）。
【請求項１０】
前記メッセージは、当該無線送信／受信装置（ＷＴＲＵ）が、前記新たなトランスポートフォーマット組合せセット（ＴＦＣＳ）を受信した場合に有効であることを特徴とする請求項９記載の無線送信／受信装置（ＷＴＲＵ）。
【請求項１１】
前記規則アプリケーション装置は、
前記メッセージが、当該無線送信／受信装置（ＷＴＲＵ）をＣＥＬＬ ＤＣＨ状態に構成させるものであるか否かを決定するようにさらに構成されたことを特徴とする請求項８記載の無線送信／受信装置（ＷＴＲＵ）。
【請求項１２】
前記メッセージは、該メッセージが当該無線送信／受信装置（ＷＴＲＵ）をＣＥＬＬ ＤＣＨ状態に構成させるものでない場合に、有効であることを特徴とする請求項１１記載の無線送信／受信装置（ＷＴＲＵ）。
【請求項１３】
前記規則アプリケーション装置は、
前記メッセージが、当該無線送信／受信装置（ＷＴＲＵ）をＣＥＬＬ ＤＣＨ状態に構成させるものであるか否かを決定する手段と、
当該無線送信／受信装置（ＷＴＲＵ）が、前記メッセージに基づいて新たなトランスポートフォーマット組合せセット（ＴＦＣＳ）を必要とするか否かを決定する手段と
をさらに構成したことを特徴とする請求項８記載の無線送信／受信装置（ＷＴＲＵ）。
【請求項１４】
前記メッセージが前記無線送信／受信装置（ＷＴＲＵ）をＣＥＬＬ ＤＣＨ状態に構成させるものであり、かつ、前記無線送信／受信装置（ＷＴＲＵ）が新たなトランスポートフォーマット組合せセット（ＴＦＣＳ）を必要としない場合に、該メッセージを有効とすることを特徴とする請求項１３記載の無線送信／受信装置（ＷＴＲＵ）。
【発明の詳細な説明】
【技術分野】
【０００１】
本発明は、一般的には無線通信システムに関し、特に、無線資源管理メッセージを有効にするための方法と装置に関する。
【背景技術】
【０００２】
３ＧＰＰ規格２５．３３１は、無線送信／受信ユニット（ＷＴＲＵ）と、ＵＭＴＳ（Ｕｎｉｖｅｒｓｉａｌ  Ｍｏｂｉｌｅ  Ｔｅｌｅｃｏｍｍｕｎｉｃａｔｉｏｎｓ  Ｓｙｓｔｅｍ：第３世代移動体通信システム）地球無線アクセスネットワーク（ＵＴＲＡＮ）との間の無線インタフェースに、無線資源管理（ＲＲＣ）プロトコルを規定する。規格２５．３３１のセクション８．６は、ＷＴＲＵが、ＵＴＲＡＮ（ＵＭＴＳ地球無線アクセスネットワーク）から受信したダウンリンクピア（ｐｅｅｒ）メッセージを有効にするために守らなければならない規則を記述している。このセクションに含まれているものには、トランスポートチャネル情報要素（ＩＥｓ）に関する規則がある。
【０００３】
特に、セクション８．６．５．２の規格では、そのトランスポートチャネル情報要素（ＩＥ）「トランスポートフォーマット組合せセット」が含まれていないのか、また、（１）トランスポートフォーマット組合せセットがＷＴＲＵ内に格納されていないのか、（２）そのトランスポートチャネルがメッセージに付加されているのか若しくは削除されているのか、又は（３）そのトランスポートフォーマット組合せセットのサイズが変更され、これにより、ＷＴＲＵが、可変ＩＮＶＡＬＩＤ−ＣＯＮＦＩＧＵＲＡＴＩＯＮをＴＲＵＥに設定するような手法によって、どのトランスポートチャネルがメッセージ内で再構築されているのか、というようなことが記述されている。
【０００４】
このようなことは、上記条件のいずれかが一致した場合、ＷＴＲＵがそのピアメッセージを拒否することを意味する。その規則は、例えば、変更されたトランスポートチャネルのタイプ、ＷＴＲＵの構築されたＲＲＣ状態といったような、付加的情報を考慮していない。
【０００５】
ＷＴＲＵの２つの基本的な操作モードは、アイドル（“Ｉｄｌｅ”）モードと、接続（“Ｃｏｎｎｅｃｔｅｄ”）モードである。接続モードは、さらに、ＷＴＲＵが使用中のチャネルの種類を定義するいくつかのＲＲＣ状態（すなわち、ＣＥＬＬ ＤＣＨ状態、ＣＥＬＬ＿ＦＡＣＨ状態、ＣＥＬＬ＿ＰＣＨ状態、およびＵＲＡ  ＰＣＨ状態）に分割される。ＣＥＬＬ＿ＤＣＨ状態では、専用チャンネルがＷＴＲＵに割当てられる。ＣＥＬＬ＿ＦＡＣＨ状態では、ＷＴＲＵのために専用チャンネルは割当てられず、ＷＴＲＵはすべてのＷＴＲＵｓに共有された共通チャンネルを使用する。しかし、ＣＥＬＬ＿ＦＡＣＨ状態では、ＷＴＲＵは、専用チャンネルに関するある情報を受信する（また保有しなければならない）。この情報は、ＷＴＲＵがＵＴＲＡＮによってＣＥＬＬ＿ＤＣＨ状態に推移した場合、ＷＴＲＵによって使用される。
【０００６】
相互運用性のテストセッションの期間中、テスト中のＷＴＲＵはいくつかの接続の試みに失敗した。分析によると、ＷＴＲＵが、認証規則に違反したことで、ネットワークのＲＲＣ接続セットアップメッセージを拒否していたことがわかった。特に、そのメッセージは、ＷＴＲＵをＣＥＬＬ＿ＦＡＣＨ状態に設定し、専用トランスポートチャネルを付加していたが、トランスポートフォーマット組合せセット（ＴＦＣＳ）は含んでいなかった。問題は、上述したように実際に認証規則に違反したということであった。このテスト結果に基づいて、認証規則を実行することが、より柔軟性のある利益を得ることができる。
【発明の開示】
【発明が解決しようとする課題】
【０００７】
その規則が、ＷＴＲＵが即座に構成されたＲＲＣ状態において使用するトランスポートチャンネル要素に適用される点のみを考慮すると、ネットワーク・オペレータは、その規則を読もうと試みるかもしれない。その試み（おそらく、困惑）は、現行のＡＳＮ．１メッセージ構文によって強いらされる。この構文は、ＣＥＬＬ＿ＦＡＣＨ状態に構成されたものさえも、ネットワークがＲＲＣ接続セットアップの際にトランスポートチャンネルを全てのＷＴＲＵｓに付加させるように要求するものである。しかしながら、その規則がトランザクションベースであるため、それらチャンネルについて時間が費やされるまで（すなわち、ＷＴＲＵがＣＥＬＬ ＤＣＨ用に構成されたとき）、その規則のアプリケーションを単純に遅延させることは満足のいくものとは言えない。記載したようにその規則を適用することによって、ＷＴＲＵは動作可能な構成（例えば、上述したようなケース）を拒否するかもしれない。しかし、以下に例示するように、規則のアプリケーションを遅延させることによって、ＷＴＲＵは、おそらく動作不能な構成を受け入れる。
【０００８】
例えば、ＣＥＬＬ ＤＣＨ状態で動作しているＷＴＲＵを考えてみる。あるＵＴＲＡＮでは、あるメッセージを、ＷＴＲＵに送る。このメッセージは、ＷＴＲＵをＣＥＬＬ ＦＡＣＨ状態に設定し、トランスポートチャネルを切離すが、新たなトランスポートフォーマット組合せセット（ＴＦＣＳ）は含まない。この場合のＷＴＲＵは、トランスポートチャネルがＣＥＬＬ ＦＡＣＨ状態では使用されないことからそのメッセージを受取る。また、あるＵＴＲＡＮでは、あるメッセージを、ＷＴＲＵに送る。このメッセージは、ＷＴＲＵをＣＥＬＬ ＤＣＨ状態に設定し、新たなトランスポートチャネル情報も新たなトランスポートフォーマット組合せセット（ＴＦＣＳ）も含まない。この場合のＷＴＲＵは、認証規則に違反しないことから、そのメッセージを受取る。しかしながら、そのＷＴＲＵは、適切なトランスポートチャネル情報が不足していることから、ＣＥＬＬ＿ＤＣＨ状態で動作することができない。
【課題を解決するための手段】
【０００９】
無線資源管理（ＲＲＣ）メッセージを有効にするための方法は、無線送信／受信ユニット（ＷＴＲＵ）において、無線アクセスネットワークからＲＲＣメッセージを受け取ることによって開始する。ＷＴＲＵは、所定の認証規則をそのメッセージに適用し、ＷＴＲＵ内での新たなトランスポートフォーマット組合せセット（ＴＦＣＳ）に関する現行の必要性を調べ、さらにＷＴＲＵが構成されるＲＲＣ状態を調べることによって、そのメッセージが有効であるかどうかを決定する。そのメッセージが有効であるなら、ＷＴＲＵはそのメッセージを受け取る。メッセージが有効でないなら、ＷＴＲＵはそのメッセージを拒否する。
【００１０】
ＲＲＣメッセージを有効にするためのＷＴＲＵは、受信機、規則アプリケーション装置、メッセージ受託装置、およびメッセージ拒否装置とを含む。受信機は、無線アクセスネットワークからＲＲＣメッセージを受信するように構成される。規則アプリケーション装置は、所定の認証規則を適用することによって、メッセージが有効であるかどうかを決定するように構成される。メッセージ受取装置は、メッセージが有効であるなら、そのメッセージを受取るように構成される。メッセージ拒否装置は、メッセージが有効でないなら、そのメッセージを拒否するように構成される。
【００１１】
以下に記載したような例示された所望の実施形態、および、添付図面から、本発明のより詳細な理解が得られる。
【発明を実施するための最良の形態】
【００１２】
ここでは、用語「無線送信／受信ユニット」（ＷＴＲＵ）は、ユーザ装置、移動局、固定又はモバイルの加入者ユニット、ポケットベル、又はある無線環境下でのいかなる他のタイプのインターフェース・デバイスを含むが、これらに限定されるものではない。また、ここでは、用語「基地局」は、ノード（Ｎｏｄｅ）Ｂ、サイトコントローラ、アクセスポイント、又はある無線環境下でのいかなる他のタイプのインターフェース・デバイスを含むが、これらに限定されるものではない。
【００１３】
もし、無線送信／受信ユニット（ＷＴＲＵ）が、規格（したがって、最も多くのネットワークで作動可能なもの）で定義されるように認証規則の寛容な解釈については考慮するが、無効な構成に対してその自身を保護するようにしたい場合には、ＷＴＲＵはその規格で説明されなかった方式でトランスポートチャネル認証を実行しなければならない。
【００１４】
図１は、標準の認証規則を入力メッセージに適用するための方法１００を示すフローチャートである。方法１００は、ＷＴＲＵにおいてピアメッセージを受信することによって、開始する（ステップ１０２）。ＷＴＲＵは、認証規則を受信したメッセージに適用する（ステップ１０４）。
ＷＴＲＵが、受信したピアメッセージに基づいて新たなトランスポートフォーマット組合せセット（ＴＦＣＳ）を必要とするか否かについての決定がなされる（ステップ１０６）。もし、ＷＴＲＵが新たなトランスポートフォーマット組合せセット（ＴＦＣＳ）を必要とする場合には、ＴＦＣＳインジケータ（例えば、ＴＦＣＳ ＮＥＥＤＥＤフラグ）を真（ｔｒｕｅ）に設定する（ステップ１０８）。そのＴＦＣＳインジケータは、ＷＴＲＵ内において維持される。もし、ＷＴＲＵが新たなトランスポートフォーマット組合せセット（ＴＦＣＳ）を必要としない場合には、ＴＦＣＳインジケータは変化なしのままとされる。
【００１５】
次に、ＷＴＲＵが、受信したピアメッセージ内に新たなトランスポートフォーマット組合せセット（ＴＦＣＳ）を受信したか否かについての決定がなされる（ステップ１１０）。もし、ＷＴＲＵが新たなトランスポートフォーマット組合せセット（ＴＦＣＳ）を受信した場合には、ＴＦＣＳインジケータ（例えば、ＴＦＣＳ ＮＥＥＤＥＤフラグ）を偽（ｆａｌｓｅ）に設定する（ステップ１１２）。もし、ＷＴＲＵが新たなトランスポートフォーマット組合せセット（ＴＦＣＳ）を受信していない場合には、ＴＦＣＳインジケータは変化なしのままとされる。
【００１６】
ＷＴＲＵが、受信したピアメッセージに基づいてＣＥＬＬ＿ＤＣＨ状態にそれ自体を構成しているか否かが決定される（ステップ１１４）。もし、ＷＴＲＵがＣＥＬＬ ＤＣＨ状態にそれ自体を構成していない場合、メッセージが受取られ（ステップ１１６）、その方法を終了する（ステップ１１８）。もし、ＷＴＲＵがＣＥＬＬ ＤＣＨ状態にそれ自体を構成している場合（ステップ１１４）、ＴＦＣＳインジケータが評価され、真（ｔｒｕｅ）であるか偽（ｆａｌｓｅ）であるかが決定される（ステップ１２０）。もし、ＴＦＣＳインジケータが真（ｔｒｕｅ）に設定されているならば、ＷＴＲＵはメッセージを拒否し（ステップ１２２）、その方法を終了する（ステップ１１８）。ＷＴＲＵが新たなトランスポートフォーマット組合せセット（ＴＦＣＳ）を必要とし、また、ネットワークがＣＥＬＬ＿ＤＣＨ状態に構成されている間は新たなトランスポートフォーマット組合せセット（ＴＦＣＳ）を供給していないので、メッセージは適切に拒否される。もし、ＴＦＣＳインジケータが偽（ｆａｌｓｅ）に設定されているならば、ＷＴＲＵはメッセージを受取り（ステップ１１６）、その方法を終了する（ステップ１１８）。
【００１７】
ネットワークは、ＣＥＬＬ ＤＣＨ状態に構成される前又は構成されている間において、ＷＴＲＵに新たなトランスポートフォーマット組合せセット（ＴＦＣＳ）を供給しているので、ＷＴＲＵは正しくメッセージを受取る。すべてのケースにおいて、ＷＴＲＵは、データプレーン内でエラーのない動作を継続する。
【００１８】
本発明では、ＷＴＲＵが、大まかな認証規則を解釈するネットワークにおいて動作できるようになっている。本発明では、また、ＷＴＲＵが、無効な構成に対してそれ自身を保護することができるようになっており、従って、データプレーン（より少ない再試行、および／または、フォールバックの取扱いと、結局、より少ないドロップコールに通じる）内で自己誘発されたエラーを除いて動作を継続することができる。
【００１９】
また、ＷＴＲＵは、トランスポートフォーマット組合せセット（ＴＦＣＳ）認証規則を適用するのではなく、無効な構成を受け入れるか、ドロップコールを行うようにしてもよい。この他に、ＷＴＲＵは、該ＷＴＲＵがＣＥＬＬ ＤＣＨ状態に構成されるまで、引用されたトランスポートフォーマット組合せセット（ＴＦＣＳ）認証規則を適用するのを遅延させるようにしてもよい。この場合にもまた、ＷＴＲＵは、無効の構成を受け入れるか、ドロップコールを行う。
【００２０】
図２は、認証規則を、入来する無線資源管理（ＲＲＣ）メッセージに適用するために構成された装置２００のブロック図である。一実施形態において、装置２００は無線送信／受信ユニット（ＷＴＲＵ）である。この装置２００は、受信機２０２と、受信機２０２と通信可能な規則アプリケーション装置２０４と、規則アプリケーション装置２０４と通信可能なメッセージ受取装置２０６と、規則アプリケーション装置２０４と通信可能なメッセージ拒否装置２０８とからなる。この動作として、受信機２０２は、装置２００に入来する無線資源管理（ＲＲＣ）メッセージを受信する。規則アプリケーション装置２０４は、メッセージ認証規則をその受信したメッセージに適用し、ＷＴＲＵの構成された状態をチェックする。もし、そのメッセージが認証規則をパスするか、又はＷＴＲＵがＣＥＬＬ ＤＣＨ状態に構成されていない場合には、メッセージ受取装置２０６がそのメッセージを受取って、処理を行う。もし、そのメッセージが認証規則に違反するか、又はＷＴＲＵがＣＥＬＬ ＤＣＨ状態に構成されている場合には、そのメッセージはメッセージ拒否装置２０８に送られて、破棄される。
【００２１】
本発明の特徴および構成要素は、所望の実施形態を特定の組み合わせによって記載することができるが、各特徴又は構成要素は、所望の実施形態の他の特徴および構成要素を含まずに単独で、又は、本発明の他の特徴および構成要素の有無にかかわらず各種の組合せにおいて使用することが可能である。
【図面の簡単な説明】
【００２２】
【図１】認証規則を入来するＲＲＣメッセージに適用するための方法を示すフローチャートである。
【図２】認証規則を入来するＲＲＣメッセージに適用するように構成された装置のブロック図である。
【図１】
2008535399.tif 000003
【図２】
2008535399.tif 000004
【国際調査報告】
2008535399.tif 000005
2008535399.tif 000006
2008535399.tif 000007